(57)【要約】【課題】建築用の駆動工具に設けられる照明装置であって、照明装置を伸縮等させることなく照明範囲の調節を行うことができ、さらに、作業の邪魔になりにくい照明装置を提供すること。【解決手段】  照明装置６は、建築用の駆動工具１に設置されている。照明装置６は、照明光を発する照明光源１５と、照明光源１５により発せられた照明光を受光して当該照明光の照射方向を変更する照明方向変更手段１６と、照明光源１５と照明方向変更手段１６との相対的な位置を変更する位置調整手段１８，１９とを備えている。【選択図】  図２
2009012150.tif 000002
【特許請求の範囲】
【請求項１】
建築用の駆動工具に設置される照明装置であって、
照明光を発する照明光源と、
該照明光源により発せられた照明光を受光して当該照明光の照射方向を変更する照明方向変更手段と、
前記照明光源と前記照明方向変更手段との相対的な位置を変更する位置調整手段と
を備えることを特徴とする照明装置。
【請求項２】
前記位置調整手段は、前記位置の調整を行うための位置調整操作手段を有し、
該位置調整操作手段は、前記駆動工具のグリップ部に設けられること
を特徴とする請求項１に記載の照明装置。
【請求項３】
前記駆動工具に対して着脱可能に設置されること
を特徴とする請求項１に記載の照明装置。
【請求項４】
前記照射方向変更手段は、前記照明光を前記駆動工具の前方方向へと反射させる反射ミラーを有すること
を特徴とする請求項１乃至請求項３のいずれか１項に記載の照明装置。
【請求項５】
前記照射方向変更手段は、入光された前記照明光の出光方向を変更するプリズムレンズを有すること
を特徴とする請求項１乃至請求項３のいずれか１項に記載の照明装置。
【請求項６】
請求項１乃至請求項６のいずれか１項に記載の照明装置を備える建築用の駆動工具。
【発明の詳細な説明】
【技術分野】
【０００１】
本発明は、工具先端部に対して照明光を照射することが可能な照明装置およびその照明装置を備える建築用の駆動工具に関する。
【背景技術】
【０００２】
建築現場において建築用の駆動工具を用いて作業を行う場合、作業を行う環境は必ずしも十分な照明が確保されているとは限られず、例えば夕暮れ時や夜間等に作業を行う場合や、照明が設置されていない建物内部、天井裏、建物地下などにおいて作業を行う場合も多い。
【０００３】
このように暗い作業現場では、ランタン等の照明を設置した上で作業を行うことが多いが、建材に釘やネジ等を設置する作業を行う場合には、ランタン等の照明を設置した場合であっても、釘やネジ等の消耗品が比較的小さくて視認しにくいため、作業が行いにくいという問題があった。
【０００４】
このような視認性の低下を克服するために、インパクトドライバ等の建築用の駆動工具に照明装置を設置して、工具における作業部位（例えば、ビット先端）などを積極的に照明する方法が提案されている（例えば、特許文献１参照）。特許文献１に示される工具を用いる場合には、グリップ部（握り部）下部に設けられたライトの角度を変更することができるので、所望の方向へと照明光源の向きを調整することが可能である。
【特許文献１】特開２００４−２０９５６７号公報
【発明の開示】
【発明が解決しようとする課題】
【０００５】
しかしながら、上述した駆動工具では、照明装置がグリップ部下部に設けられているため、照明の向きを調整することによって照明装置が作業の邪魔になってしまうおそれがあるという問題があった。
【０００６】
また、照明光の焦点位置が一定に保たれているため、照明光の照射範囲を拡大縮小する場合等においては、伸縮可能に構成される照明装置のレバー部分を伸ばして照明光源を照明対象位置に近づけたり、離したりする必要がある。このため、照明装置のレバー部を伸ばした状態で作業を行う場合には、照明装置が邪魔になって作業効率の低下を招いたり、作業時に照明装置が建材等に接触してしまい、照明装置を破損させてしまうおそれがあった。
【０００７】
本発明は上記問題に鑑みてなされたものであり、建築用の駆動工具に設けられる照明装置であって、照明装置を伸縮等させることなく照明範囲の調節を行うことができ、さらに、作業の邪魔になりにくい照明装置を提供することを課題とする。
【課題を解決するための手段】
【０００８】
上記課題を解決するために、本発明に係る照明装置は、建築用の駆動工具に設置される照明装置であって、照明光を発する照明光源と、該照明光源により発せられた照明光を受光して当該照明光の照射方向を変更する照明方向変更手段と、前記照明光源と前記照明方向変更手段との相対的な位置を変更する位置調整手段とを備えることを特徴とする。
【０００９】
本発明に係る照明装置によれば、照明方向変更手段によって照明光源より発せられる照明光の照射方向を変更することができ、さらに、位置調整手段を用いて照明光源と照明方向変更手段との相対的な位置を変更することによって、照明方向変更手段によって変更される照明光の照射方向を調整することができるので、照射範囲を広範囲から狭範囲へと所望の範囲に調節することが可能となる。
【００１０】
このため、従来の照明装置のように伸縮するレバー部分を設けて照明光源を照明対象位置に近づけたりする必要がなくなり、照明装置の伸縮に伴う作業効率の低下や、照明装置の接触による照明装置の破損等を防止することが可能となる。
【００１１】
なお、この照明光源として、一般的な照明機器であるＬＥＤ光源や電球等を利用することが可能である。特に、ＬＥＤ光源を用いる場合には、消費電力量を低減させることができると共に、発光に伴う発熱量の低減を図ることが可能となる。さらにＬＥＤ光源は、電球等に比べて振動に対する耐久性能等に優れているため、照明光源の故障等が生じにくいという効果を有する。
【００１２】
また、前記位置調整手段は、前記位置の調整を行うための位置調整操作手段を有し、該位置調整操作手段が、前記駆動工具のグリップ部に設けられるものであってもよい。
【００１３】
このように、駆動工具のグリップ部に位置調整操作手段が設けられることによって、操作者がグリップ部を握った状態において、さらには、駆動工具を操作した状態において、位置調整操作手段を用いて照明光の照射範囲を調整することが可能となる。このため、作業者は、作業を中断することなく簡易かつ迅速に照明範囲の変更・調整を行うことが可能となる。
【００１４】
さらに、上記照明装置は、前記駆動工具に対して着脱可能に設置されるものであってもよい。
【００１５】
このように照明装置が駆動工具に対して着脱可能に設けられることによって、照明が不要な場合には簡単に照明装置を取り外すことができる。このため、照明装置を取り外すことによって、作業時に照明装置が邪魔になってしまうことがなく、また照明装置が建材等に接触してしまって破損等してしまうことを防止することが可能となる。
【００１６】
また、上記照明装置の前記照射方向変更手段が、前記照明光を前記駆動工具の前方方向へと反射させる反射ミラーを有するものであってもよい。
【００１７】
照明方向変更手段として反射ミラーを用いる場合には、照明光の照射範囲を反射ミラーによって広範囲に変更することができるので、簡易な構造で照明光の照射範囲の調節を行うことが可能となる。
【００１８】
また、上記照明装置の前記照射方向変更手段が、入光された前記照明光の出光方向を変更するプリズムレンズを有するものであってもよい。
【００１９】
照明方向変更手段としてプリズムレンズを用いる場合には、反射ミラーを用いる場合と同様に、照明光の照射範囲をプリズムレンズによって広範囲に変更することができるので、簡易な構造で照明光の照射範囲の調節を行うことが可能となる。
【００２０】
また、本発明に係る建築用の駆動工具は、上述した照明装置を備えるものであることを特徴とする。
【００２１】
建築用の駆動工具が、上述した照明装置を備えることによって、照射範囲を広範囲から狭範囲へと所望の範囲に調節することが可能となる。なお、ここで意味する建築用の駆動工具とは、工具先端に設置されるビットを回転駆動等させる構造を備えた工具を意味しており、電動で駆動されるものであっても、圧縮空気を利用して駆動されるものであってもよく、締め付け工具、打ち込み工具、孔開け工具等の各種工具を含むものである。
【発明の効果】
【００２２】
本発明に係る照明装置および建築用の駆動工具によれば、照明方向変更手段によって照明光源より発せられる照明光の照射方向を変更することができ、さらに、位置調整手段を用いて照明光源と照明方向変更手段との相対的な位置を変更することによって、照明方向変更手段によって変更される照明光の照射方向を調整することができるので、照射範囲を広範囲から狭範囲へと所望の範囲に調節することが可能となる。
【発明を実施するための最良の形態】
【００２３】
以下、本発明に係る建築用の駆動工具について、図面を用いて詳細に説明する。
【００２４】
［実施の形態１］
図１は、実施の形態１に係る建築用の駆動工具の一例であるエアインパクトドライバを示した側面図である。
【００２５】
エアインパクトドライバ１（駆動工具）は、本体部２と、グリップ部３と、エアプラグ４と、ビットチャック５と、照明装置６とによって概略構成されている。
【００２６】
本体部２およびグリップ部３は、樹脂製のケーシング部材によって一体に形成されており、このケーシング部材は、左右対称を成す一対の半割ケーシングによって構成されている。本体部２の内部には、図示を省略する駆動機構部が内設されており、駆動機構部の駆動によってドライバビット７に回転駆動力および打撃力を付加することが可能となっている。
【００２７】
グリップ部３は、本体部２の後部より下方へと延伸形成されており、グリップ部３の前部には、ドライバビット７の回転駆動のオン／オフ操作を行うためのトリガースイッチ９と、ドライバビット７の回転方向の切り替えを行うための回転切替スイッチ１０と、照明装置６の照明範囲を調節するための照明調節スイッチ（位置調整操作手段）１１とが設けられている。操作者は、回転切替スイッチ１０によってドライバビット７の回転方向を決定した後にトリガースイッチ９をオンすることによって、ドライバビット７を回転駆動させることが可能となる。
【００２８】
また、照明調節スイッチ１１は、回転式のダイヤルスイッチであり、操作者が照明調節スイッチ１１を操作することによって、照明装置６の照射範囲を調節することが可能となっている。照明調節スイッチ１１は、操作者がグリップ部３を握った状態において親指で操作しやすい位置に設置されている。
【００２９】
エアプラグ４は、グリップ部３の最下端に設けられている。このエアプラグ４には、図示を省略したエアコンプレッサに設けられるエアホースを連結することが可能となっており、エアコンプレッサより供給される圧縮空気を、エアプラグ４を介してエアインパクトドライバ１内に導入することによって、駆動機構部の駆動を行うことが可能となる。
【００３０】
なお、グリップ部３の最下端であって、エアプラグ４の前寄りの位置には、導入された圧縮空気の排出を行うためのマフラ１２が設けられている。マフラ１２は略円筒形状を呈しており、この外周面には排気口１２ａが形成されている。排気口１２ａは、作業状態に応じて向きを変更することが可能となっており、作業者が、排気口１２ａの向きを調節することによって排気エアの吸引を防ぐことが可能となっている。
【００３１】
ビットチャック５は、本体部２の先端に設けられている。ビットチャック５はドライバビット７の着脱を行うために設けられており、ビットチャック５を本体部２の前方方向へとスライドさせることによってドライバビット７の着脱を行うことが可能である。ビットチャック５によってドライバビット７を装着することにより、ドライバビット７を駆動機構部により回転駆動させることが可能となる。
【００３２】
照明装置６は、本体部２の下部正面、より具体的には、グリップ部３と本体部２との境界近傍であってトリガースイッチ９の上方部分に設けられている。照明装置６は、図２、図３示すように、ＬＥＤ光源（照明光源）１５と、大型反射ミラー（照明方向変更手段、反射ミラー）１６と、小型反射ミラー１７と、位置調整部材（位置調整手段）１８と、ガイドレール（位置調整手段）１９と、位置調節ギア（位置調整操作手段）２０と、前面カバー２１と、電池ユニット（図示省略）とによって概略構成されている。
【００３３】
ガイドレール１９は、位置調整部材１８を本体部２の前後方向へと移動させるために設けられるレール部材である。位置調整部材１８には、ガイドレール１９に係合する係合部（図示省略）が設けられており、ガイドレール１９に従って前後に移動することが可能となっている。
【００３４】
ＬＥＤ光源１５および小型反射ミラー１７は、位置調整部材１８に設置されており、位置調整部材１８の移動に伴って前後に移動する構造となっている。ＬＥＤ光源１５は照明方向を本体部２の前面方向に配置させた状態で位置調整部材１８の前端部に設けられており、その前方位置に対して、小型反射ミラー１７が固定されている。また、位置調整部材１８には、ラック１８ａが設けられている。
【００３５】
小型反射ミラー１７はＬＥＤ光源１５の光源位置を臨む略半球状の湾曲面によって構成されたミラーであり、ＬＥＤ光源１５より発せられた照明光を大型反射ミラー１６へと反射させる役割を有している。
【００３６】
大型反射ミラー１６は、大型の略半球状の湾曲面によって構成されており、開口部１６ａを本体部２の前方方向へと向けて配設されている。大型反射ミラー１６の凹所中央部にはＬＥＤ光源１５の進退を許容する開口１６ｂが形成されており、ＬＥＤ光源１５は、位置調整部材１８の移動に応じて大型反射ミラー１６内を前後に移動することが可能となっている。大型反射ミラー１６の開口部１６ａには、透過性の樹脂素材等で形成される前面カバー２１が取り付けられており、大型反射ミラー１６内に粉塵等が混入することを防止する構造となっている。
【００３７】
電池ユニットは、例えばグリップ部３に設置されており、一般的な電池等を電源として利用することによって、ＬＥＤ光源１５に電力を供給する役割を有している。なお、電源ユニットによるＬＥＤ光源１５の電力供給は、トリガースイッチ９のオン／オフ動作に連動して行われる構造となっており、トリガースイッチ９がオンに操作された場合に、ＬＥＤ光源１５が点灯され、トリガースイッチ９がオフに操作された場合にはＬＥＤ光源１５が消灯される。
【００３８】
位置調節ギア２０は、照明調節スイッチ１１を構成する円盤状の円形スイッチ２０ａと、この円形スイッチ２０ａと同一軸を成すピニオンギア２０ｂとが連結された構造となっている。ピニオンギア２０ｂは、位置調整部材１８のラック１８ａと噛合する構造となっており、円形スイッチ２０ａの回転に応じてピニオンギア２０ｂが回転し、ピニオンギア２０ｂに噛合するラック１８ａがガイドレールに沿って移動することによって、ＬＥＤ光源１５および小型反射ミラー１７が移動する構造となっている。
【００３９】
操作者は、グリップ部３の照明調節スイッチ１１を回転させることによって、ＬＥＤ光源１５の照射範囲を変更・調節することが可能となっている。
【００４０】
例えば、照明調節スイッチ１１を回転させることによってピニオンギア２０ｂを回転させ、ピニオンギア２０ｂに噛合するラック１８ａを前方向へと移動させると、このラック１８ａの設置される位置調整部材１８が前方へと移動し、この位置調整部材１８の移動に伴ってＬＥＤ光源１５および小型反射ミラー１７が前方へと移動する。ＬＥＤ光源１５が前方へと移動された状態では、図２に示すように、ＬＥＤ光源１５の照明光が小型反射ミラー１７によって反射され、小型反射ミラー１７によって反射された照明光が大型反射ミラー１６によって広範囲に拡がって照射されることとなる。このため、操作者は、ＬＥＤ光源１５の照明光を広範囲に照射することができるため、ドライバビット７の先端を含む周囲全体を広範囲に照らすことが可能となる。
【００４１】
一方で、照明調節スイッチ１１を回転させることによってピニオンギア２０ｂを回転させ、ピニオンギア２０ｂに噛合するラック１８ａを後方向へと移動させると、このラック１８ａの設置される位置調整部材１８が後方へと移動し、この位置調整部材１８の移動に伴ってＬＥＤ光源１５および小型反射ミラー１７も後方へと移動する。ＬＥＤ光源１５が後方へと移動された状態では、図３に示すように、ＬＥＤ光源１５の照明光が小型反射ミラー１７によって反射され、小型反射ミラー１７によって反射された照明光が大型反射ミラー１６によって比較的狭い範囲に拡がって照射されることとなる。このため、操作者は、ＬＥＤ光源１５の照明光を狭くして照射することができるため、ドライバビット７の先端等、部分的に照明が必要となる箇所に対して照明光を照射することが可能となる。
【００４２】
このように、本実施の形態１に係る駆動工具を用いる場合には、照明装置６が本体部２に一体に設けられているため、別途照明装置６を設置する必要が無い。また、照明装置６が本体部２に一体に設けられているため、建材等に照明装置６が接触等してしまって建材等を傷つけるおそれが無いし、また、作業性を損なうというおそれもない。
【００４３】
さらに、本実施の形態１に係る駆動工具では、ＬＥＤ光源１５の照明範囲を照明調節スイッチ１１によって調節することができるので、照明光の照射範囲を広範囲から狭範囲へと所望の範囲に調節することが可能となる。このため、従来の照明装置のように伸縮するレバー部分を設けて照明光源を照明対象位置に近づけたりする必要がなくなり、照明装置の伸縮に伴う作業効率の低下や、照明装置の接触による照明装置の破損等を防止することが可能となる。
【００４４】
また、照明調節スイッチ１１は、操作者がグリップ部３を握った状態において親指で操作しやすい位置に設置されているため、作業者がグリップ部３を握った状態で、さらには、トリガースイッチ９を人差し指等で操作した状態で、照明調節スイッチ１１の調整を行うことができる。このため、作業を中断することなく簡易かつ迅速に照明範囲の変更・調整を行うことが可能となる。
【００４５】
さらに、照明光源としてＬＥＤ光源１５を用いているので、消費電力量を低減させることができると共に、発光に伴う発熱量の低減を図ることが可能となる。さらにＬＥＤ光源１５は、電球等に比べて振動に対する耐久性能等に優れているため、照明光源の故障等が生じにくいという効果を有する。
【００４６】
なお、実施の形態１に係る建築用の駆動工具では、照明装置６を本体部２の下部正面、より具体的には、グリップ部３と本体部２との境界近傍であってトリガースイッチ９の上方部分に設ける構造について説明を行ったが、照明装置６の設置位置はこの場所に限定されるものではない。例えば、本体部２の上部正面位置（例えば、ビットチャック５の上側位置）や、本体部２の側部前方位置等であっても、照明光をドライバビット７の先端方向へと照射することができ、作業において邪魔にならない位置等であれば、どの場所に設置されるものであってもよい。
【００４７】
［実施の形態２］
次に実施の形態２に係る照明装置について説明を行う。上述した実施の形態１に係る建築用の駆動工具では、照明装置６が本体部２に一体に設置される場合について説明を行ったが、照明装置６が工具とは別体に設けられるものであってもよい。そこで、実施の形態２では、建築用の駆動工具に対して照明装置が工具と別体に構成される場合について説明する。
【００４８】
実施の形態２に係る照明装置３０は、図４に示すように、エアインパクトドライバ（駆動工具）３１の本体部３２に設けられたフック３３に対して着脱可能に設けられるものである。なお、エアインパクトドライバ３１は、既に実施の形態１において説明したエアインパクトドライバ１に対して照明装置６が設置されていない点を除いて、同一の形状・構造によって構成されるものであるため、実施の形態２における詳細な説明は省略するものとする。
【００４９】
エアインパクトドライバ３１の本体部３２後方（ヘッド部）には、側面に対して上下一対の差込孔３４ａ，３４ｂが形成されており、この差込孔３４ａ，３４ｂに対してフック３３が着脱可能に取り付けられている。
【００５０】
フック３３は、１本の金属製の軸材を中央部でＵ字に折り曲げ、折り曲げられた折曲部３３ａより延伸される各軸部３３ｂ，３３ｃの間隔Ｒを一対の差込孔３４ａ，３４ｂの間隔に保ちつつそれぞれ平行に延伸させ、その端部を直角に折り曲げることによって構成されている。なお、Ｕ字状を成す折曲部３３ａは、端部の折り曲げ方向とは反対側（本体部３２の外側方）へと傾斜されている。
【００５１】
照明装置３０は、フック３３の平行な２つの軸部３３ｂ，３３ｃと略同じ長さを有し、さらに２つの軸部３３ｂ，３３ｃの間隔Ｒよりも僅かに幅広の横幅を備えた長方形状ケース３６によって構成されており、その上面３６ａは曲面形状によって構成され、その底面３６ｂには、図５（ａ）に示すように、フック３３に係合する正面視Ｌ字状の係合脚部３７が左右側部にそれぞれ設けられている。操作者は、図４に示すように、フック３３の後方側より係合脚部３７に対して軸部３３ｂ，３３ｃを案内することによって、照明装置３０をフック３３に係合させることが可能となり、簡単に照明装置３０を着脱することが可能となっている。
【００５２】
照明装置３０の上面３６ａには、図５（ｂ）に示すように、後述する照明光源の点灯をおこなうためのオンボタン（ＯＮボタン）３８ａと、照明光源の消灯を行うためのオフボタン（ＯＦＦボタン）３８ｂと、照明光の照射範囲を調節するためのスライド式の照明調節スイッチ（位置調整操作手段）３９とが設けられている。また、照明装置３０の上面３６ａには、電池を収納するための電池収納蓋４０が開閉可能に設けられており、この電池収納蓋４０を開放させて電池を収納することによって照明光源に照明用の電力を供給することが可能となっている。
【００５３】
照明装置３０の内部には、図６（ａ）（ｂ）に示すように、電球（照明光源）４１と、ソケット４２と、反射ミラー（照明方向変更手段）４３と、位置調整部材（位置調整手段）４４と、ガイドレール（位置調整手段）４５と、前面カバー４７と、電池ユニット（図示省略）とが設けられている。
【００５４】
ガイドレール４５は、位置調整部材４４を照明装置３０の正面方向へと移動させるために設けられるレール部材である。位置調整部材４４には、ガイドレール４５に係合する係合部（図示省略）が設けられており、ガイドレール４５に従って前後に移動することが可能となっている。
【００５５】
ソケット４２は、光源となる電球４１を取り付けるための部材であって、後端部には図示を省略するケーブルが設けられており、ケーブルは上述したオンボタン３８ａおよびオフボタン３８ｂを構成する電源スイッチ（図示省略）を介して電池ユニットに接続されている。
【００５６】
位置調整部材４４は、ガイドレール４５によって照明装置の前後方向へとスライド移動可能に設けられている。位置調整部材４４は、上述した照明調節スイッチ３９に該当するものであって、位置調整部材４４に設けられる突起部４４ａが照明装置３０のケース３６に設けられるスリット３６ｃを介してケース３６外面へと露出する構造となっている。操作者は、この突起部４４ａをスリット３６ｃに沿ってスライド操作することによって照明調節スイッチ３９の調節を行うことが可能となっている。さらに、位置調整部材４４の前部にはソケット４２が設けられており、位置調整部材４４のスライド移動に伴ってソケット４２およびソケット４２に取り付けられる電球４１を移動させることが可能となっている。
【００５７】
反射ミラー４３は、大型の略半球状の湾曲面によって構成されており、開口部４３ａを照明装置３０の前方方向へと向けて配設されている。反射ミラー４３の凹所中央部には電球４１の進退を許容する開口４３ｂが形成されており、電球４１は位置調整部材４４の移動に応じて反射ミラー４３内を前後に移動することが可能となっている。反射ミラー４３の開口部４３ａには、透過性の樹脂素材等で形成される前面カバー４７が取り付けられており、反射ミラー４３内に粉塵等が進入することを防止する構造となっている。
【００５８】
電池ユニットは、上述した電池収納蓋４０の内部に設けられている。電池ユニットには一般的な電池を収納することが可能となっており、この電池を電源として電球４１を照明させることが可能となっている。
【００５９】
操作者が照明装置３０を用いて照明光を照射させる場合には、照明装置３０のオンボタン３８ａを押下することによって電球４１を点灯させた後に、照明調節スイッチ３９をスライド移動させることによって照明光の照射範囲を調節することが可能となっている。
【００６０】
例えば、照明調節スイッチ３９の突起部４４ａをスリット３６ｃに沿って照明装置３０の前方方向へスライド移動させた場合には、突起部４４ａの設けられる位置調整部材４４が前方へと移動し、この位置調整部材４４の移動に伴って電球４１およびソケット４２が前方へと移動する。電球４１が前方へと移動されると、図６（ａ）に示すように、電球から発せられる拡散光が直接前面カバー４７を介して照射されると共に、周囲に拡散される電球４１の照明光が反射ミラー４３によって照射されて前方へと照射されることとなる。このため、操作者は電球４１の照明光を広範囲に照射することができ、ドライバビット７の先端を含む周囲全体を広範囲に照らすことが可能となる。
【００６１】
一方で、照明調節スイッチ３９の突起部４４ａをスリット３６ｃに沿って照明装置３０の後方方向へスライド移動させた場合には、突起部４４ａの設けられる位置調整部材４４が後方へと移動し、この位置調整部材４４の移動に伴って電球４１およびソケット４２が後方へと移動する。電球４１が後方へと移動されると、図６（ｂ）に示すように、反射ミラー４３の開口４３ｂ周縁によって周囲に拡散される電球４１の照明光が狭められるため、比較的狭い範囲に対して照明光が照射されることとなる。このため、操作者は電球４１の照明光を狭くして照射することができ、ドライバビット７の先端等、部分的に照明が必要となる箇所に対して照明光を照射することが可能となる。
【００６２】
このように、本実施の形態２に係る照明装置３０を用いる場合には、照明光の照明範囲を照明調節スイッチ３９によって調節することができるので、照明光の照射範囲を広範囲から狭範囲へと所望の範囲に調節することが可能となる。このため、従来の照明装置のように伸縮するレバー部分を設けて照明光源を照明対象位置に近づけたりする必要がなくなり、照明装置の伸縮に伴う作業効率の低下や、照明装置の接触による照明装置の破損等を防止することが可能となる。
【００６３】
また、照明調節スイッチ３９は、ケース３６の上面３６ａに露出する突起部４４ａをスリット３６ｃに沿ってスライドさせる構造であるため、簡単に照明範囲の調節を行うことができる。このため、作業を中断することなく簡易かつ迅速に照明範囲の変更・調整を行うことが可能となる。
【００６４】
さらに、照明装置３０がフック３３を介して本体部３２に着脱可能に設けられているので、照明が不要な場合には簡単に照明装置３０を取り外すことができる。このため、照明装置３０を取り外すことによって、作業時に照明装置３０が邪魔になってしまうことがなく、また照明装置３０が建材等に接触してしまって破損等してしまうことを防止することが可能となる。
【００６５】
なお、実施の形態２に係る照明装置３０は、照明光源として電球４１を用いた構成について説明を行ったが、照明光源は必ずしも電球に限定されるものではなく、実施の形態１に示したようにＬＥＤ光源を用いるものであってもよい。ＬＥＤ光源を用いる場合であっても、実施の形態１で説明したように照明装置を構成することによって、照明光の照射範囲を自由に変更・調整することが可能となる。
【００６６】
また、同様に、実施の形態１に示した照明装置６においても、照明光源としてＬＥＤ光源１５を用いるのではなく、実施の形態２に示したように電球を用いて構成することが可能である。
【００６７】
以上、本発明に係る照明装置および建築用の駆動工具について図面を用いて詳細に説明を行ったが、本発明に係る建築用の駆動工具および照明装置は上述した実施の形態１および実施の形態２に示した内容に限定されるものではない。いわゆる当業者であれば、特許請求の範囲に記載された範疇内において、各種の変更例または修正例に想到し得ることは明らかであり、それらについても当然に本発明の技術的範囲に属する。
【００６８】
例えば、上記実施の形態１および実施の形態２では、照明光源であるＬＥＤ光源または電球を前後に移動させることによって照射範囲を調整する構成について説明を行ったが、必ずしも照明光源を移動させる構成のみに限定されるものではない。例えば、実施の形態１に示す大型反射ミラー１６や実施の形態２に示す反射ミラー４３を、照明光源であるＬＥＤ光源１５や電球４１に対して相対的に前後移動するものであってもよい。このように照明光源と反射ミラーとの相対位置を前後に変更・調整することが可能であるならば、その位置の変更・調整に応じて照明光の照射範囲を変更・調整することが可能となるため、上述した実施の形態１および実施の形態２に示した効果と同等の効果を奏することが可能となる。
【００６９】
また実施の形態１および実施の形態２においては、照明装置が、ＬＥＤ光源および電球等の照明光源と、照明光源の照射光を反射させる反射ミラー（大型反射ミラー１６、反射ミラー４３）とにより構成される例について説明を行ったが、照明装置は必ずしも、反射ミラーを備えるものに限定されるものではない。
【００７０】
例えば、ＬＥＤ光源の前方位置に２枚のプリズムレンズを設置し、プリズムレンズの間隔を調整することによってＬＥＤ光源による照明光の照射範囲を変更・調整するものであってもよい。このようにプリズムレンズを用いることによって、プリズムレンズに対して入光された照明光の出光方向を変更することができるので、反射ミラーを用いることなく、照明光源の照射範囲を変更・調整することが可能である。同様に、電球の前面に対してプリズムレンズを設けて照明光の照射範囲を変更・調整する構成であってもよい。
【００７１】
さらに、実施の形態１および実施の形態２では、建築用の駆動工具の一例として、エアインパクトドライバを用いて説明を行ったが、本発明に係る建築用の駆動工具はエアインパクトドライバに限定されるものではない。建築用の駆動工具は、工具先端に設置されるビットを回転駆動等させる構造を備えた工具であれば、電動で駆動されるものであっても、圧縮空気を利用して駆動されるものであってもよく、またドライバ工具だけでなく、締め付け工具、打ち込み工具、孔開け工具等の各種工具が本発明に係る建築用の駆動工具に含まれる。
【図面の簡単な説明】
【００７２】
【図１】実施の形態１に係るエアインパクトドライバを示した外観側面図である。
【図２】実施の形態１に係るエアインパクトドライバにおいて、位置調節スイッチを操作してＬＥＤ光源を前方へと移動させた状態を示す照明装置の拡大概略構成図である。
【図３】実施の形態１に係るエアインパクトドライバにおいて、位置調節スイッチを操作してＬＥＤ光源を後方へと移動させた状態を示す照明装置の拡大概略構成図である。
【図４】実施の形態２に係るエアインパクトドライバと照明装置とを示した外観斜視図である。
【図５】実施の形態２に係る照明装置を示した図であって、（ａ）は正面図、（ｂ）は上面図を示している。
【図６】実施の形態２に係る照明装置において、位置調節スイッチを操作してＬＥＤ光源を移動させた状態を示す概略構成図であって、（ａ）照明調節スイッチを操作して電球を前方へと移動させた状態を示し、（ｂ）は、照明調節スイッチを操作して電球を後方へと移動させた状態を示している。
【符号の説明】
【００７３】
１、３１     …エアインパクトドライバ（駆動工具）
２、３２     …本体部
３     …グリップ部
４     …エアプラグ
５     …ビットチャック
６、３０   …照明装置
７     …ドライバビット
９     …トリガースイッチ
１０   …回転切替スイッチ
１１、３９   …照明調節スイッチ（位置調整操作手段）
１２   …マフラ
１２ａ  …排気口
１５   …ＬＥＤ光源（照明光源）
１６   …大型反射ミラー（照明方向変更手段）
１６ａ  …（大型反射ミラーの）開口部
１６ｂ  …（大型反射ミラーの）開口
１７   …小型反射ミラー
１８、４４   …位置調整部材（位置調整手段）
１８ａ  …ラック
１９、４５   …ガイドレール（位置調整手段）
２０   …位置調節ギア（位置調整操作手段）
２０ａ  …円形スイッチ
２０ｂ  …ピニオンギア
２１、４７   …前面カバー
３３   …フック
３３ａ  …（フックの）折曲部
３３ｂ、３３ｃ  …（フックの）軸部
３４ａ、３４ｂ  …（本体部の）差込孔
３６   …（照明装置の）ケース
３６ａ  …（ケースの）上面
３６ｂ  …（ケースの）底面
３６ｃ  …（ケースの上面に形成される）スリット
３７   …（ケースの底面に形成される）係合脚部
３８ａ  …（ケースの上面に形成される）オンボタン
３８ｂ  …（ケースの上面に形成される）オフボタン
４０   …（ケースの上面に形成される）電池収納蓋
４１   …電球（照明光源）
４２   …ソケット
４３   …反射ミラー（照明方向変更手段）
４３ａ  …（反射ミラーの）開口部
４３ｂ  …（反射ミラーの）開口
４４ａ  …突起部
Ｒ     …（２本の軸部の）間隔
【図１】
2009012150.tif 000003
【図２】
2009012150.tif 000004
【図３】
2009012150.tif 000005
【図４】
2009012150.tif 000006
【図５】
2009012150.tif 000007
【図６】
2009012150.tif 000008